(57)【特許請求の範囲】
【請求項１】
洗浄水を噴出して人体の局部を洗浄する局部洗浄装置において、洗浄水の噴出制御を行う洗浄水制御手段と、商用交流電源を整流する整流手段と、整流手段の脈流出力から所定の定電圧を作成する電源手段と、電源手段からの電源供給を受けて動作し洗浄水制御手段に対して制御信号を送出する制御手段と、商用交流電源のゼロクロスを検出して検出信号を制御手段に出力するゼロクロス検出手段とを備え、このゼロクロス検出手段は、商用交流電源の電源電圧が印加される整流素子、分圧用抵抗及び定電圧素子の直列回路を具備し、分圧用抵抗で分圧された電圧を検出信号とすることを特徴とする局部洗浄装置。
【請求項２】
ゼロクロス検出手段の整流素子を整流手段を構成する整流素子と兼用したことを特徴とする請求項１記載の局部洗浄装置。
【発明の詳細な説明】
【０００１】
【発明の属する技術分野】
本発明は、洗浄水を噴出して人体の局部を洗浄する局部洗浄装置に関するものである。
【０００２】
【従来の技術】
図３は従来の局部洗浄装置の回路構成を示しており、水道水を給水／止水するための電磁弁１と、電磁弁１を駆動制御する電磁弁制御回路２と、本装置が取り付けられる便器の便座（図示せず）を温めるための便座ヒータ３と、便座ヒータ３を駆動制御する便座ヒータ制御回路４と、局部洗浄に用いる水道水を温水とするための温水ヒータ５と、温水ヒータ５を駆動制御する温水ヒータ制御回路６と、マイクロコンピュータから成り、電磁弁制御回路２、便座ヒータ制御回路４及び温水ヒータ制御回路６並びに図示しない洗浄水の噴出機構を含む本装置全体の制御を司る制御回路７と、使用者により操作されるスイッチ（図示せず）の操作入力を制御回路７に伝達するスイッチ回路８と、洗浄水勢や温水温度並びに便座温度などのレベル表示を行うための表示回路９と、制御回路７などに動作用の直流低電圧を供給する電源回路１０’とを備えている。
【０００３】
電源回路１０’は、商用電源ＡＣを降圧するトランスＴと、トランスＴの２次電圧を全波整流するダイオードブリッジＤＢと、ダイオードブリッジＤＢの脈流出力を平滑する平滑コンデンサＣ０と、平滑コンデンサＣ０の両端電圧を電源として動作し制御回路７に供給する直流電圧を安定化するための３端子レギュレータＲＧとで構成され、制御回路７などに動作用の直流低電圧を安定供給するものである。
【０００４】
制御回路７においては、例えば温水ヒータ５をオンするような要求（信号）がスイッチ回路８を通じて入力されると温水ヒータ制御回路６に対して制御信号を出力し、温水ヒータ制御回路６によって商用電源ＡＣから温水ヒータ５に通電されて温水ヒータ５がオンとなる。逆に温水ヒータ５をオフするような要求（信号）がスイッチ回路８を通じて制御回路７に入力されれば、制御回路７が温水ヒータ制御回路６に対して温水ヒータ５をオフするような制御信号を出力して商用電源ＡＣから温水ヒータ５への通電が停止して温水ヒータ５がオフとなる。
【０００５】
ここで、温水ヒータ５による温水温度や便座ヒータ３による便座温度を所定値に制御するために、温水ヒータ制御回路６及び便座ヒータ制御回路４にはトライアックなどのスイッチング素子が設けてある。而して、図示しない温度センサ等によって温水温度や便座温度を検出し、制御回路７から温水ヒータ制御回路６及び便座ヒータ制御回路４に対してスイッチング素子をオンオフする制御信号を出力してスイッチング素子の導通角を調整することにより、温水ヒータ５や便座ヒータ３の発熱量を可変して温水温度や便座温度を所望の値に調整することができるのである。
【０００６】
【発明が解決しようとする課題】
ところで温水ヒータ５や便座ヒータ３をオンオフするときの妨害ノイズの放射を防ぐために、一般には商用電源ＡＣのゼロクロス点に同期させてスイッチング素子をオンオフさせており、そのために商用電源ＡＣのゼロクロスを検出するゼロクロス検出回路１１’が設けてある。
【０００７】
このゼロクロス検出回路１１’はダイオードブリッジＤＢの交流入力端の一端に抵抗Ｒ６を介してベースが接続されるとともにコレクタが抵抗Ｒ７を介して制御回路７の電源供給ラインに接続されたトランジスタＱを備え、トランジスタＱのコレクタと抵抗Ｒ７の接続点から制御回路７にゼロクロス検出信号が出力されるように構成されている。
【０００８】
図４は各部の信号波形を示しており、同図（ａ）は商用電源ＡＣの交流電源電圧Ｖac、同図（ｂ）はダイオードブリッジＤＢの交流入力端の電圧Ｖ１、同図（ｃ）はゼロクロス検出回路１１’から制御回路７に入力されるゼロクロス検出信号Ｖｘ、同図（ｄ）は制御回路７から温水ヒータ制御回路６に出力される制御信号Ｖ２、同図（ｅ）は商用電源ＡＣから温水ヒータ制御回路６を通じて温水ヒータ５に印加される交流電圧Ｖ３である。而して、ダイオードブリッジＤＢの抵抗Ｒ６が接続されている側の交流入力端が高電位の場合に交流電源電圧に同期してゼロクロス検出回路１１’のトランジスタＱがオンとなり（同図（ａ）（ｂ）参照）、制御回路７には抵抗Ｒ７での電圧降下に相当する電圧Ｖｘが入力される（同図（ｃ）参照）。一方、ダイオードブリッジＤＢの抵抗Ｒ６が接続されている側の交流入力端が低電位の場合にはトランジスタＱがオフとなり、制御回路７には交流電源電圧に同期して（トランジスタＱのコレクタ−エミッタ飽和電圧）≒（制御回路７のグランド電位）がゼロクロス検出信号Ｖｘとして入力される（同図（ｃ）参照）。そして、制御回路７がゼロクロス検出信号Ｖｘに基づいてゼロクロスに同期するように温水ヒータ制御回路６や便座ヒータ制御回路４のスイッチング素子をオンする制御信号を出力するのである。
【０００９】
しかしながら、近年局部洗浄装置の普及率が向上しているなかで局部洗浄装置のゼロクロス検出回路の簡素化やコストダウンが求められている。
【００１０】
本発明は上記事情に鑑みて為されたものであり、その目的とするところは、安価且つ構成が簡単なゼロクロス検出回路を備えた局部洗浄装置を提供することにある。
【００１１】
【課題を解決するための手段】
請求項１の発明は、上記目的を達成するために、洗浄水を噴出して人体の局部を洗浄する局部洗浄装置において、洗浄水の噴出制御を行う洗浄水制御手段と、商用交流電源を整流する整流手段と、整流手段の脈流出力から所定の定電圧を作成する電源手段と、電源手段からの電源供給を受けて動作し洗浄水制御手段に対して制御信号を送出する制御手段と、商用交流電源のゼロクロスを検出して検出信号を制御手段に出力するゼロクロス検出手段とを備え、このゼロクロス検出手段は、商用交流電源の電源電圧が印加される整流素子、分圧用抵抗及び定電圧素子の直列回路を具備し、分圧用抵抗で分圧された電圧を検出信号とすることを特徴とし、整流素子と分圧用抵抗及び定電圧素子の直列回路から成る安価且つ簡単な構成のゼロクロス検出回路を実現することができる。
【００１２】
また、請求項２の発明は、請求項１の発明において、ゼロクロス検出手段の整流素子を整流手段を構成する整流素子と兼用したことを特徴とし、回路構成をさらに簡素化し且つコストダウンを図ることができる。
【００１３】
【発明の実施の形態】
以下、本発明の一実施形態を図１及び図２を参照して説明する。但し、本実施形態の基本的な構成は従来例と共通するので、共通する部分については同一の符号を付して説明を省略する。
【００１４】
図１は本実施形態の回路構成図を示しており、従来例と異なる点は電源回路１０及びゼロクロス検出回路１１である。なお、従来例と同様にマイクロコンピュータから成る制御回路７によって洗浄水制御手段及び制御手段が構成される。
【００１５】
まず電源回路１０は、商用電源ＡＣの一端にカソードが接続された第１のツェナーダイオードＺＤ１と、商用電源ＡＣの他端にカソードが接続された整流素子たるダイオードＤ１と、第１のツェナーダイオードＺＤ１のアノードとダイオードＤ１のアノードとの間に直列接続された抵抗Ｒ１〜Ｒ３と、第１のツェナーダイオードＺＤ１に並列接続された平滑コンデンサＣ１とを備え、商用電源ＡＣの交流電源電圧をダイオードＤ１にて半波整流し、抵抗Ｒ１〜Ｒ３で分圧された脈流電圧から第１のツェナーダイオードＺＤ１により所望の低電圧（ツェナー電圧）を得るとともに平滑コンデンサＣ１にて平滑することで制御回路７へ供給する直流低電圧を得ている。
【００１６】
一方、ゼロクロス検出回路１１は、商用電源ＡＣの一端にカソードが接続された第２のツェナーダイオードＺＤ２と、電源回路１０を構成するダイオードＤ１及び抵抗Ｒ３と、第２のツェナーダイオードＺＤ２のアノードと抵抗Ｒ２，Ｒ３の接続点との間に直列接続された抵抗Ｒ４，Ｒ５とを備えている。
【００１７】
次に図２に示す各部の波形図を参照しながら本実施形態におけるゼロクロス検出回路１１の動作を説明する。なお、図４（ａ）は商用電源ＡＣの交流電源電圧Ｖac、同図（ｂ）はツェナーダイオードＺＤ２のカソードの電位（但し、第１のツェナーダイオードＺＤ１のカソード電位を基準とする）Ｖz2、同図（ｃ）はゼロクロス検出回路１１から制御回路７に入力されるゼロクロス検出信号Ｖｘ、同図（ｄ）は制御回路７から温水ヒータ制御回路６に出力される制御信号Ｖ２、同図（ｅ）は商用電源ＡＣから温水ヒータ制御回路６を通じて温水ヒータ５に印加される交流電圧Ｖ３である。
【００１８】
而して、ゼロクロス検出回路１１では、電源回路１０の整流素子（ダイオードＤ１）を兼用して商用電源ＡＣの交流電源電圧Ｖacを半波整流して抽出し抵抗Ｒ３〜Ｒ５にて脈流電圧を分圧し、第２のツェナーダイオードＺＤ２を用いて商用電源ＡＣの交流成分をゼロクロス検出信号Ｖｘとして制御回路７に入力している（図２（ｃ）参照）。なお、第２のツェナーダイオードＺＤ２のツェナー電圧を、制御回路７の入力ポートの耐圧を越えないような値に設定しておく必要がある。
【００１９】
そして、ゼロクロス検出回路１１から入力されるゼロクロス検出信号Ｖｘに基づいて制御回路７がゼロクロスに同期するように温水ヒータ制御回路６や便座ヒータ制御回路４のスイッチング素子をオンする制御信号Ｖ２を出力するのである。
【００２０】
上述のように本実施形態では商用電源ＡＣの交流電源電圧Ｖacが印加されるダイオードＤ１、分圧用抵抗Ｒ３〜Ｒ５及び定電圧素子たる第２のツェナーダイオードＺＤ２の直列回路によってゼロクロス検出回路１１を構成し、分圧用抵抗Ｒ３〜Ｒ５で分圧された電圧をゼロクロス検出信号Ｖｘとすることにより、ダイオードＤ１と分圧用抵抗Ｒ３〜Ｒ５及び第２のツェナーダイオードＺＤ２の直列回路から成る安価且つ簡単な構成のゼロクロス検出回路１１を実現することができる。また本実施形態のように整流素子を電源回路１０のダイオードＤ１と兼用すれば、回路を構成している電子部品の機能併用によって回路構成をさらに簡素化し且つコストダウンを図ることができるという利点がある。
【００２１】
【発明の効果】
請求項１の発明は、洗浄水を噴出して人体の局部を洗浄する局部洗浄装置において、洗浄水の噴出制御を行う洗浄水制御手段と、商用交流電源を整流する整流手段と、整流手段の脈流出力から所定の定電圧を作成する電源手段と、電源手段からの電源供給を受けて動作し洗浄水制御手段に対して制御信号を送出する制御手段と、商用交流電源のゼロクロスを検出して検出信号を制御手段に出力するゼロクロス検出手段とを備え、このゼロクロス検出手段は、商用交流電源の電源電圧が印加される整流素子、分圧用抵抗及び定電圧素子の直列回路を具備し、分圧用抵抗で分圧された電圧を検出信号とするので、整流素子と分圧用抵抗及び定電圧素子の直列回路から成る安価且つ簡単な構成のゼロクロス検出回を実現することができるという効果がある。
【００２２】
請求項２の発明は、ゼロクロス検出手段の整流素子を整流手段を構成する整流素子と兼用したので、回路構成をさらに簡素化し且つコストダウンを図ることができるという効果がある。
【図面の簡単な説明】
【図１】実施形態の概略回路図である。
【図２】同上における各部の信号波形図である。
【図３】従来例の概略回路図である。
【図４】同上における各部の信号波形図である。
【符号の説明】
１  電磁弁
２  電磁弁制御回路
３  便座ヒータ
４  便座ヒータ制御回路
５  温水ヒータ
６  温水ヒータ制御回路
７  制御回路
１０  電源回路
１１  ゼロクロス検出回路
【図１】
0003653999.tif 000002
【図２】
0003653999.tif 000003
【図３】
0003653999.tif 000004
【図４】
0003653999.tif 000005